(57)【特許請求の範囲】
【請求項１】
入力部と通信領域とが設けられた第１の面を有した第１の部分と、
前記第１の部分に設けられ、前記通信領域の外部に向けて無線通信が可能な無線通信モジュールと、
画像を表示する表示部が設けられ、前記入力部および前記通信領域を覆う第１の位置と、前記入力部の少なくとも一部を覆うとともに前記通信領域を露出させる第２の位置と、前記入力部および前記通信領域を露出させる第３の位置と、の間で移動可能に前記第１の部分に連結された第２の部分と、
前記第２の部分を前記第２の位置に係止するストッパと、
前記第２の部分が前記第１の位置に位置するときに前記無線通信モジュールを使用不可にし、前記第２の部分が前記第２の位置または前記第３の位置に位置するときに前記無線通信モジュールを使用可能にする制御部と、
を具備した電子機器。
【請求項２】
前記表示部はタッチパネルを有し、
前記第２の部分は、前記表示部が設けられた第２の面と、前記第２の面の反対側に位置するとともに前記第１の位置において前記第１の部分の前記第１の面と対向する第３の面とを有した請求項１に記載の電子機器。
【請求項３】
前記第１の面は、前記通信領域が設けられたパームレストを有し、
前記入力部がキーボードを有した請求項２に記載の電子機器。
【請求項４】
前記第２の部分は、前記第１の位置および前記第２の位置の間と、前記第２の位置および前記第３の位置の間とをスライドし、端部が前記第３の位置において回動可能に前記第１の部分に連結された請求項３に記載の電子機器。
【請求項５】
前記第１の部分の前記第１の面に設けられたタッチパッドをさらに具備し、
前記第２の部分は、前記第１の位置において前記タッチパッドを覆い、前記第２の位置および前記第３の位置において前記タッチパッドを露出させ、
前記制御部は、前記第２の部分が前記第１の位置または前記第２の位置に位置するときに前記タッチパッドを使用不可にし、前記第２の部分が前記第３の位置に位置するときに前記タッチパッドを使用可能にする請求項４に記載の電子機器。
【請求項６】
前記パームレストの前記通信領域が設けられた部分が、非導電体によって形成された請求項５に記載の電子機器。
【請求項７】
前記第２の部分の前記第３の面に設けられたカメラをさらに具備し、
前記第１の部分は、前記第１の位置において前記カメラを覆い、前記第２の位置および前記第３の位置において前記カメラを露出させる請求項６に記載の電子機器。
【請求項８】
入力部と通信領域とが設けられた第１の面を有した第１の部分と、
前記第１の部分に設けられ、前記通信領域の外部に向けて無線通信が可能な無線通信モジュールと、
画像を表示する表示部が設けられ、前記入力部および前記通信領域を覆う第１の位置と、前記入力部の少なくとも一部を覆うとともに前記通信領域を露出させる第２の位置と、前記入力部および前記通信領域を露出させる第３の位置と、の間で移動可能に前記第１の部分に連結された第２の部分と、
を備えた電子機器の制御方法であって、
前記第２の部分が前記第１の位置に位置するときに前記無線通信モジュールを使用不可にし、
前記第２の部分が前記第２の位置または前記第３の位置に位置するときに前記無線通信モジュールを使用可能にする方法。
【請求項９】
入力部が設けられた第１の面を有した第１の部分と、
画像を表示する表示部が設けられた第２の面と、前記第２の面の反対側に位置するとともに通信領域が設けられた第３の面とを有し、前記入力部を覆うとともに前記通信領域が前記第１の部分によって覆われた第１の位置と、前記入力部の少なくとも一部を覆うとともに前記通信領域を露出させる第２の位置と、前記入力部および前記通信領域を露出させる第３の位置と、の間で移動可能に前記第１の部分に連結された第２の部分と、
前記第２の部分に設けられ、前記通信領域の外部に向けて無線通信が可能な無線通信モジュールと、
前記第２の部分を前記第２の位置に係止するストッパと、
前記第２の部分が前記第１の位置に位置するときに前記無線通信モジュールを使用不可にし、前記第２の部分が前記第２の位置または前記第３の位置に位置するときに前記無線通信モジュールを使用可能にする制御部と、
を具備した電子機器。
【発明の詳細な説明】
【技術分野】
【０００１】
本発明の実施形態は、電子機器および電子機器の制御方法に関する。
【背景技術】
【０００２】
ポータブルコンピュータのような電子機器は、近距離無線通信（ＮＦＣ）モジュールのような無線通信を行うモジュールを備えることがある。ＮＦＣモジュールは、例えば、ＩＣカード、携帯電話のような機器、およびその他の情報媒体と無線通信を行う。
【０００３】
例えば、前記電子機器の底面、ディスプレイが設けられた面、またはパームレストに、ＩＣカードのような上記媒体をかざすための領域が設けられる。ＮＦＣモジュールは、当該領域にかざされた媒体との間で無線通信を行う。
【先行技術文献】
【特許文献】
【０００４】
【特許文献１】特開２００５−２７７４６８号公報
【発明の概要】
【発明が解決しようとする課題】
【０００５】
電子機器は、机上に載置されたり、運搬されたり、把持されたりと、種々の態様で扱われる。このような電子機器の使用態様によっては、無線通信モジュールの使い勝手が悪くなる場合があり得る。
【０００６】
本発明の目的は、無線通信モジュールの使用が容易な電子機器および電子機器の制御方法を提供することにある。
【課題を解決するための手段】
【０００７】
一つの実施の形態に係る電子機器は、第１の部分と、無線通信モジュールと、第２の部分と、ストッパと、制御部とを備える。前記第１の部分は、入力部と通信領域とが設けられた第１の面を有する。前記無線通信モジュールは、前記第１の部分に設けられ、前記通信領域の外部に向けて無線通信が可能である。前記第２の部分は、画像を表示する表示部が設けられ、第１の位置と、第２の位置と、第３の位置との間で移動可能に前記第１の部分に連結される。前記第２の部分は、前記第１の位置で前記入力部および前記通信領域を覆い、前記第２の位置で前記入力部の少なくとも一部を覆うとともに前記通信領域を露出させ、前記第３の位置で前記入力部および前記通信領域を露出させる。前記ストッパは、前記第２の部分を前記第２の位置に係止する。前記制御部は、前記第２の部分が前記第１の位置に位置するときに前記無線通信モジュールを使用不可にし、前記第２の部分が前記第２の位置または前記第３の位置に位置するときに前記無線通信モジュールを使用可能にする。
【図面の簡単な説明】
【０００８】
【図１】第１の実施の形態に係るポータブルコンピュータを示す斜視図。
【図２】第１の実施形態のポータブルコンピュータを図１のＦ２−Ｆ２線に沿って示す断面図。
【図３】第１の実施形態のディスプレイユニットが第２の位置に移動したポータブルコンピュータを示す斜視図。
【図４】第１の実施形態のポータブルコンピュータを図３のＦ４−Ｆ４線に沿って示す断面図。
【図５】第１の実施形態のディスプレイユニットが第３の位置に移動したポータブルコンピュータを示す斜視図。
【図６】第１の実施形態のポータブルコンピュータを図５のＦ６−Ｆ６線に沿って示す断面図。
【図７】第１の実施形態のディスプレイユニットが回動したポータブルコンピュータを示す斜視図。
【図８】第１の実施形態のポータブルコンピュータを図７のＦ８−Ｆ８線に沿って示す断面図。
【図９】第１の実施形態のディスプレイユニットが第４の位置に移動したポータブルコンピュータを示す斜視図。
【図１０】第１の実施形態のポータブルコンピュータを図９のＦ１０−Ｆ１０線に沿って示す断面図。
【図１１】第１の実施形態のポータブルコンピュータの構成を概略的に示す図。
【図１２】第１の実施形態のディスプレイユニットが移動するときの制御方法の一例を示すフローチャート。
【図１３】第２の実施の形態に係るポータブルコンピュータを示す斜視図。
【図１４】第３の実施の形態における、ディスプレイユニットが第１の位置にあるポータブルコンピュータを示す斜視図。
【図１５】第３の実施形態のポータブルコンピュータを図１４のＦ１５−Ｆ１５線に沿って示す断面図。
【図１６】第３の実施形態のディスプレイユニットが第２の位置にあるポータブルコンピュータを示す斜視図。
【図１７】第３の実施形態のディスプレイユニットが第３の位置にあるポータブルコンピュータを示す斜視図。
【図１８】第３の実施形態のポータブルコンピュータを図１７のＦ１８−Ｆ１８線に沿って示す断面図。
【図１９】第４の実施の形態に係るポータブルコンピュータを示す斜視図。
【発明を実施するための形態】
【０００９】
以下に、第１の実施の形態について、図１から図２を参照して説明する。なお、本明細書において、手前側（即ちユーザ側）を前方、ユーザから見て遠い側を後方、ユーザから見て左側を左方、ユーザから見て右側を右方、ユーザから見て上方を上方、ユーザから見て下方を下方と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【００１０】
図１は、第１の実施形態のポータブルコンピュータ１０を示す斜視図である。図２は、図１のＦ２−Ｆ２線に沿ってポータブルコンピュータ１０を示す断面図である。図１に示すように、ポータブルコンピュータ１０は、いわゆるタブレットＰＣである。なお、電子機器はタブレットＰＣに限らず、例えばポータブルＤＶＤプレイヤーのような他の機器であっても良い。
【００１１】
ポータブルコンピュータ１０は、メインユニット１１と、ディスプレイユニット１２と、スライドヒンジ構造１３と、を備えている。メインユニット１１は、第１の部分の一例である。ディスプレイユニット１２は、第２の部分の一例である。
【００１２】
ディスプレイユニット１２は、スライドヒンジ構造１３によって、第１の位置ないし第４の位置の間で移動可能にメインユニット１１に連結されている。図１および図２に示すポータブルコンピュータ１０において、ディスプレイユニット１２は第１の位置に位置している。
【００１３】
図３は、ディスプレイユニット１２が第２の位置に移動したポータブルコンピュータ１０を示す斜視図である。図４は、図３のＦ４−Ｆ４線に沿ってポータブルコンピュータ１０を示す断面図である。図５は、ディスプレイユニット１２が第３の位置に移動したポータブルコンピュータ１０を示す斜視図である。図６は、図５のＦ６−Ｆ６線に沿ってポータブルコンピュータ１０を示す断面図である。図７は、ディスプレイユニット１２が回動したポータブルコンピュータ１０を示す斜視図である。図８は、図７のＦ８−Ｆ８線に沿ってポータブルコンピュータ１０を示す断面図である。図９は、ディスプレイユニット１２が第４の位置に移動したポータブルコンピュータ１０を示す斜視図である。図１０は、図９のＦ１０−Ｆ１０線に沿ってポータブルコンピュータ１０を示す断面図である。
【００１４】
図１ないし図１０を適宜用いて、ポータブルコンピュータ１０の構造について説明する。図７に示すように、メインユニット１１は、矩形状の第１の筐体２０と、キーボード２１と、タッチパッド２２と、一対のクリックボタン２３と、複数のコネクタ２４とを有している。キーボード２１は、入力部の一例である。
【００１５】
第１の筐体２０は、パームレスト２７を有している。パームレスト２７は、例えば、壁部、上面、または平坦部のような、種々の表現がされ得る。パームレスト２７は、第１の筐体２０の上面２０ａの一部を形成する。上面２０ａは、第１の面の一例である。第１の筐体２０は、例えばマグネシウム合金のような金属によって形成されているが、パームレスト２７は樹脂によって形成されている。樹脂は、非導電体の一例である。非導電体は、例えば絶縁体のような、電波を遮断しない材料である。
【００１６】
キーボード２１は、第１の筐体２０の上面２０ａに設けられている。キーボード２１は、パームレスト２７よりも後方に配置される。キーボード２１は、文字入力のような種々の入力作業に用いられる。
【００１７】
タッチパッド２２は、カーソル移動のような種々の入力作業に用いられる。クリックボタン２３は、クリックのような種々の入力作業に用いられる。タッチパッド２２とクリックボタン２３とは、パームレスト２７に設けられている。すなわち、タッチパッド２２およびクリックボタン２３は、キーボード２１よりも前方に配置される。
【００１８】
コネクタ２４は、第１の筐体２０の側面２０ｂに設けられている。コネクタ２４は、例えばＵＳＢコネクタやＨＤＭＩコネクタのような種々のコネクタである。さらに、第１の筐体２０には、例えば、電源ボタン、イヤホンジャック、および通気口のような種々の要素が設けられる。
【００１９】
メインユニット１１の第１の筐体２０には、例えば、マザーボード、ハードディスク駆動装置（ＨＤＤ）、バッテリ、および近距離無線通信（ＮＦＣ）モジュール２８のような種々の部品が収容される。ＮＦＣモジュール２８は、無線通信モジュールの一例であり、例えば部品、モジュール、または通信装置のような、種々の表現がされ得る。ＮＦＣモジュール２８は第１の筐体２０の内部に隠れているため、図では破線で示される。前記マザーボードには中央演算処理装置（ＣＰＵ）およびメモリのような種々の電子部品が実装されている。
【００２０】
ＮＦＣモジュール２８は、パームレスト２７の一部に覆われている。ＮＦＣモジュール２８を覆うパームレスト２７の一部は、通信領域２９として規定される。すなわち、通信領域２９は、第１の筐体２０の上面２０ａに含まれるパームレスト２７の一部である。ＮＦＣモジュール２８は、例えば、通信領域２９の下に位置する。通信領域２９は第１の筐体２０の外から判別可能なように、例えば、絵を印刷されたり、窪みが設けられたり、シールが貼り付けられたりしても良い。
【００２１】
ディスプレイユニット１２は、矩形状の第２の筐体３０と、ディスプレイモジュール３１と、第１のカメラ３２と、第２のカメラ３３とを有している。第２のカメラ３３は、例えば図９に示される。ディスプレイモジュール３１は、表示部およびタッチパネルの一例である。第２のカメラ３３は、カメラの一例であり、例えば部品、またはモジュールのような種々の表現がされ得る。
【００２２】
ディスプレイモジュール３１は、例えば液晶ディスプレイである。ディスプレイモジュール３１は、これに限らず、有機ＥＬディスプレイのような種々の画像を表示する部品であっても良い。ディスプレイモジュール３１はタッチパネルであり、例えばユーザの指先を感知して種々の入力作業に用いられる。
【００２３】
ディスプレイモジュール３１は、第２の筐体３０の前面３０ａに設けられた開口部から露出される。前面３０ａは、第２の面の一例である。言い換えると、ディスプレイモジュール３１は、第２の筐体３０の前面３０ａに設けられる。
【００２４】
第１のカメラ３２は、第２の筐体３０の前面３０ａに設けられる。一方、図９に示すように、第２のカメラ３３は第２の筐体３０の背面３０ｂに設けられる。背面３０ｂは、前面３０ａの反対側に設けられており、第３の面の一例である。図２に示すように、ディスプレイユニット１２が第１の位置にあるとき、背面３０ｂは第１の筐体２０の上面２０ａと対向する。第２のカメラ３３は、第２の筐体３０の上端部に位置する。
【００２５】
図８に示すように、第２の筐体３０の前面３０ａから背面３０ｂに亘って、一対のスリット３５が設けられている。一対のスリット３５は、第２の筐体３０の左端部および右端部にそれぞれ配置されている。スリット３５は、前面３０ａの下端部から、第２の筐体３０の下端面を通り、背面３０ｂの上端部まで延びている。
【００２６】
第２の筐体３０に、第１のセンサ４１と、第２のセンサ４２と、第３のセンサ４３と、第４のセンサ４４とが収容されている。第１ないし第４のセンサ４１〜４４は、例えば磁気センサであり、スリット３５に面してそれぞれ配置されている。なお、第１ないし第４のセンサ４１〜４４は、スイッチまたは他の種類のセンサであっても良い。
【００２７】
一対のスライドヒンジ構造１３は、突出部５１と、レール５２と、第１のストッパ５３と、第２のストッパ５４とをそれぞれ有している。第２のストッパ５４は、ストッパの一例である。一対の突出部５１はメインユニット１１に設けられる。一方、レール５２、第１のストッパ５３、および第２のストッパ５４は、ディスプレイユニット１２に設けられる。
【００２８】
突出部５１は、第１の筐体２０の上面２０ａから突出している。突出部５１は、第１の筐体２０の後端部に配置される。突出部５１は、板状に形成され、ディスプレイユニット１２のスリット３５に挿入されている。
【００２９】
突出部５１に、ピン５６と、係止部５７と、マグネット５８とが設けられている。ピン５６は、スリット３５と直交する方向に突出している。係止部５７は、突出部５１の先端に設けられた凹部である。マグネット５８は第１ないし第４のセンサ４１〜４４によって検知可能な磁力を有する磁石である。
【００３０】
レール５２は、ディスプレイユニット１２のスリット３５に設けられている。レール５２に、突出部５１のピン５６が嵌められる。これにより、ディスプレイユニット１２はメインユニット１１に対してスライドして移動可能となる。さらに、図８に示すように、ピン５６がレール５２の下端部に位置するとき、ディスプレイユニット１２はメインユニット１１に対して回動可能である。
【００３１】
第１および第２のストッパ５３、５４は、ディスプレイユニット１２のスリット３５にそれぞれ配置されている。第１および第２のストッパ５３，５４は、例えばスリット３５の内面から突出した突起であり、突出部５１の係止部５７に弾性的に係合する。第１のストッパ５３は、第１のセンサ４１と並んで配置されている。第２のストッパ５４は、第２のセンサ４２と並んで配置されている。
【００３２】
メインユニット１１とディスプレイユニット１２との間の通信は、例えば無線通信によって行われる。なお、メインユニット１１とディスプレイユニット１２との間の通信が、例えばフレキシブルプリント配線板やその他の配線によって行われても良い。
【００３３】
図１１は、ポータブルコンピュータ１０の構成を概略的に示す図である。図１１に示すように、ポータブルコンピュータ１０は、制御部６１を有している。制御部６１は、例えば第１の筐体２０に収容された前記マザーボード、前記ＨＤＤ、および前記メモリのような、種々の部品を含む。
【００３４】
制御部６１は、キーボード２１、タッチパッド２２、クリックボタン２３、ＮＦＣモジュール２８、第１のカメラ３２、第２のカメラ３３、および第１ないし第４のセンサ４１〜４４に接続されている。制御部６１は、これらの部品との間で通信を行ったり、これらの部品の機能を停止したり、これらの部品を起動させたりする。
【００３５】
図１２は、ディスプレイユニット１２が第１の位置から第４の位置まで移動するときのポータブルコンピュータ１０の制御方法の一例を示すフローチャートである。以下、図１ないし図１２を参照して、ディスプレイユニット１２が第１の位置から第４の位置まで移動するときのポータブルコンピュータ１０について説明する。
【００３６】
図１に示すように、ディスプレイユニット１２が第１の位置にあるポータブルコンピュータ１０は、例えばタブレット機器、スレート型ＰＣと呼ばれる機器のように用いられる。ユーザは、例えば、ポータブルコンピュータ１０を把持して使用する。
【００３７】
図２に示すように、第１の位置にあるディスプレイユニット１２は、メインユニット１１の第１の筐体２０の上面２０ａを覆っている。すなわち、キーボード２１と、タッチパッド２２、クリックボタン２３、および通信領域２９が設けられたパームレスト２７とが、ディスプレイユニット１２に覆われる。さらに、ディスプレイユニット１２に設けられた第２のカメラ３３が、メインユニット１１によって覆われる。
【００３８】
ディスプレイユニット１２が第１の位置に移動すると、突出部５１の係止部５７に、第１のストッパ５３が弾性的に係合する。このため、第１のストッパ５３によって、ディスプレイユニット１２が、第１の位置に係止される。
【００３９】
突出部５１のマグネット５８は、第１のセンサ４１と対向する。第１のセンサ４１は、マグネット５８の磁気を検知し、制御部６１に信号を送る。第１のセンサ４１から信号を受け取った制御部６１は、ディスプレイユニット１２が第１の位置にあると判断する。
【００４０】
図１２に示すように、第１のセンサ４１が、ディスプレイユニット１２が第１の位置にあると判断すると（Ａ１）、制御部６１は、ＮＦＣモジュール２８を使用不可にし（Ａ２）、タッチパッド２２およびクリックボタン２３を使用不可にし（Ａ３）、さらに第２のカメラ３３を使用不可にする（Ａ４）。例えば、制御部６１は、ＮＦＣモジュール２８への通電を止めたり、オペレーティングシステム（ＯＳ）がＮＦＣモジュール２８を認識できなくしたりする。
【００４１】
第１の位置にあるディスプレイユニット１２は、例えばユーザによって押されることで、レール５２に沿って第２の位置にスライド移動する。第１のストッパ５３は、例えばディスプレイユニット１２が外力を受けると、弾性的に移動して突出部５１の係止部５７から容易に外れる。
【００４２】
図３に示すように、ディスプレイユニット１２が第２の位置にあるポータブルコンピュータ１０は、ディスプレイユニット１２が第１の位置にある場合と同様に、例えばユーザに把持されて用いられる。
【００４３】
図４に示すように、第２の位置にあるディスプレイユニット１２は、キーボード２１を覆っている。一方、ディスプレイユニット１２は、パームレスト２７を露出させる。すなわち、通信領域２９が露出される。さらに、ディスプレイユニット１２の第２のカメラ３３が露出される。
【００４４】
ディスプレイユニット１２が第２の位置に移動すると、突出部５１の係止部５７に、第２のストッパ５４が弾性的に係合する。このため、第２のストッパ５４によって、ディスプレイユニット１２が、第２の位置に係止される。
【００４５】
突出部５１のマグネット５８は、第２のセンサ４２と対向する。第２のセンサ４２は、マグネット５８の磁気を検知し、制御部６１に信号を送る。第２のセンサ４２から信号を受け取った制御部６１は、ディスプレイユニット１２が第２の位置にあると判断する。
【００４６】
図１２に示すように、第２のセンサ４２が、ディスプレイユニット１２が第２の位置にあると判断すると（Ａ５）、制御部６１は、ＮＦＣモジュール２８を使用できるようにし（Ａ６）、タッチパッド２２およびクリックボタン２３を使用不可にし（Ａ７）、さらに第２のカメラ３３を使用できるようにする（Ａ８）。例えば、制御部６１は、ＮＦＣモジュール２８への通電を行ったり、ＯＳにＮＦＣモジュール２８を認識させたりする。
【００４７】
ＮＦＣモジュール２８が使用できるようになると、例えばアプリケーションに制御され、ＮＦＣモジュール２８は無線通信を行う。図３に示すように、通信領域２９にＩＣカード６２をかざすと、ＮＦＣモジュール２８は、通信領域２９の外部にあるＩＣカード６２に向けて無線通信を行う。例えば、ＮＦＣモジュール２８は、ＩＣカード６２に内蔵されたＩＣチップに記録された情報を読み取る。
【００４８】
第２の位置にあるディスプレイユニット１２は、例えばユーザによって押されることで、レール５２に沿って第３の位置にスライド移動する。第２のストッパ５４は、例えばディスプレイユニット１２が外力を受けると、弾性的に移動して突出部５１の係止部５７から容易に外れる。
【００４９】
図５に示すように、ディスプレイユニット１２が第３の位置にあるポータブルコンピュータ１０は、ノート型ポータブルコンピュータのように用いられる。ユーザは、例えば、ポータブルコンピュータ１０を机上に載置して使用する。
【００５０】
第３の位置にあるディスプレイユニット１２は、キーボード２１と、通信領域２９を含むパームレスト２７とを露出させる。さらに、ディスプレイユニット１２の第２のカメラ３３が露出される。
【００５１】
図６に示すように、突出部５１のマグネット５８は、第３のセンサ４３と対向する。第３のセンサ４３は、マグネット５８の磁気を検知し、制御部６１に信号を送る。第３のセンサ４３から信号を受け取った制御部６１は、ディスプレイユニット１２が第３の位置にあると判断する。
【００５２】
図１２に示すように、第３のセンサ４３が、ディスプレイユニット１２が第３の位置にあると判断すると（Ａ９）、制御部６１は、ＮＦＣモジュール２８を使用できるようにし（Ａ１０）、タッチパッド２２およびクリックボタン２３を使用できるようにし（Ａ１１）、さらに第２のカメラ３３を使用できるようにする（Ａ１２）。
【００５３】
第３の位置にあるディスプレイユニット１２は、レール５２に沿って、またはピン５６を中心に回動する。すなわち、ディスプレイユニット１２の下端部は、回動可能にメインユニット１１に連結されている。回動させられたディスプレイユニット１２は、図７および図８に示すように、メインユニット１１の後端部から立ち上がり得る。
【００５４】
第３の位置にあるディスプレイユニット１２がさらに回動させられることで、ディスプレイユニット１２は、第４の位置に移動する。図９に示すように、ディスプレイユニット１２が第４の位置にあるポータブルコンピュータ１０は、閉じられたノート型ポータブルコンピュータのように用いられる。ユーザは、例えば、ポータブルコンピュータ１０を鞄に入れて運搬する。
【００５５】
図１０に示すように、第４の位置にあるディスプレイユニット１２は、キーボード２１と、通信領域２９を含むパームレスト２７とを覆う。一方、ディスプレイユニット１２の第２のカメラ３３は露出される。ディスプレイユニット１２の第２の筐体３０の前面３０ａは、メインユニット１１の第１の筐体２０の上面２０ａと対向する。
【００５６】
突出部５１のマグネット５８は、第４のセンサ４４と対向する。第４のセンサ４４は、マグネット５８の磁気を検知し、制御部６１に信号を送る。第４のセンサ４４から信号を受け取った制御部６１は、ディスプレイユニット１２が第４の位置にあると判断する。
【００５７】
図１２に示すように、第４のセンサ４４が、ディスプレイユニット１２が第４の位置にあると判断すると（Ａ１３）、制御部６１は、ＮＦＣモジュール２８を使用不可にし（Ａ１４）、タッチパッド２２およびクリックボタン２３を使用不可にし（Ａ１５）、さらに第２のカメラ３３を使用不可にする（Ａ１６）。さらに、制御部６１は、例えばＯＳを休止状態にしても良い。
【００５８】
以上のように、ディスプレイユニット１２は、第１ないし第４の位置の間でスライド移動、または回動によって移動する。ディスプレイユニット１２は、上記の逆の手順で、第４の位置から第１の位置まで移動し得る。
【００５９】
前記構成のポータブルコンピュータ１０によれば、キーボード２１が覆われた第２の位置にあってもＮＦＣモジュール２８が使用可能となる。これにより、タブレット機器のように用いられ得るポータブルコンピュータ１０にあっても、パームレスト２７に、通信領域２９を設けることができる。ＮＦＣモジュール２８の通信性能は、ＮＦＣモジュール２８に含まれるアンテナの面積が大きいほど良好になる。すなわち、通信領域２９が大きいほど、ＮＦＣモジュール２８の通信性能が良好になる。パームレスト２７は、ＮＦＣモジュール２８が十分な通信能力を発揮し得る広さの通信領域２９を設けることができる。さらに、パームレスト２７に設けられた通信領域２９は、ポータブルコンピュータ１０が机上に載置された場合であっても露出され、ＩＣカード６２をかざしやすい。したがって、ＮＦＣモジュール２８の使用が容易となる。
【００６０】
さらに、ディスプレイユニット１２が第１の位置にある状態でポータブルコンピュータ１０を使用する場合、ディスプレイユニット１２を第２の位置に移動させることによってＮＦＣモジュール２８による無線通信を行うことができる。このため、ディスプレイユニット１２をわざわざ第３の位置に移動させる必要がなく、ＮＦＣモジュール２８の使用が容易となる。
【００６１】
ディスプレイユニット１２が第１の位置にあるとき、制御部６１は、ＮＦＣモジュール２８を使用不可にする。これにより、通信領域２９が隠れた状態でＮＦＣモジュール２８が起動することが防止され、電力の余計な消費を抑制できる。
【００６２】
また、ディスプレイユニット１２が第２の位置にあるとき、制御部６１は、タッチパッド２２およびクリックボタン２３を使用不可にする。これにより、タッチパッド２２およびクリックボタン２３による誤動作を防止できる。ディスプレイユニット１２が第２の位置にある場合、入力作業は、タッチパネルであるディスプレイモジュール３１によって行われる。
【００６３】
通信領域２９が設けられるパームレスト２７は、非導電体である樹脂によって形成される。これにより、パームレスト２７がＮＦＣモジュール２８の通信機能を妨げることを抑制できる。なお、パームレスト２７はこれに限らず、例えば通信領域２９のみが非導電体によって形成され、他の部分が金属によって形成されても良い。
【００６４】
第２のストッパ５４が突出部５１の係止部５７と係合することで、ディスプレイユニット１２が第２の位置に係止される。これにより、必要以上にディスプレイユニット１２が移動することが抑制され、ＮＦＣモジュール２８の使用が容易になる。
【００６５】
次に、図１３を参照して、第２の実施の形態について説明する。なお、以下に開示する少なくとも一つの実施形態において、第１の実施形態のポータブルコンピュータ１０と同一の機能を有する構成部分には同一の参照符号を付す。さらに、当該構成部分については、その説明を一部または全て省略することがある。
【００６６】
図１３は、第２の実施の形態に係るポータブルコンピュータ１０を示す斜視図である。図１３に示すように、第２の実施の形態のポータブルコンピュータ１０は、指紋認証装置７１を備えている。指紋認証装置７１は、パームレスト２７に設けられ、一対のクリックボタン２３の間に配置されている。指紋認証装置７１は、例えばポータブルコンピュータ１０のロックを解除するために用いられる。
【００６７】
制御部６１は、ディスプレイユニット１２が第１および第４の位置にあるとき、指紋認証装置７１を使用不可にする。一方、制御部６１は、ディスプレイユニット１２が第２および第３の位置にあるとき、指紋認証装置７１を使用できるようにする。
【００６８】
第２の実施形態のポータブルコンピュータ１０によれば、ディスプレイユニット１２が第２の位置にあるとき、指紋認証装置７１が使用可能になる。これにより、例えばディスプレイユニット１２が第１の位置にあるときであっても、ディスプレイユニット１２を第２の位置に移動させることで指紋認証装置７１を用いることができる。すなわち、指紋認証装置７１を容易に使用することができる。
【００６９】
なお、ディスプレイユニット１２が第２の位置にあるときに使用可能となる部品は、指紋認証装置７１に限らない。例えば、ボタン、スピーカ、および光学ディスクドライブ（ＯＤＤ）のような、種々の部品であっても良い。
【００７０】
次に、図１４ないし図１８を参照して、第３の実施の形態について説明する。図１４は、第３の実施の形態における、ディスプレイユニット１２が第１の位置にあるポータブルコンピュータ１０を示す斜視図である。図１５は、図１４のＦ１５−Ｆ１５線に沿ってポータブルコンピュータ１０を示す断面図である。図１６は、ディスプレイユニット１２が第２の位置にあるポータブルコンピュータ１０を示す斜視図である。図１７は、ディスプレイユニット１２が第３の位置にあるポータブルコンピュータ１０を示す斜視図である。図１８は、図１７のＦ１８−Ｆ１８線に沿って示すポータブルコンピュータ１０の断面図である。
【００７１】
図１７に示すように、第３の実施形態において、メインユニット１１の第１の筐体２０は、パームレスト２７を有する代わりに平坦部７３を有している。平坦部７３は、例えば樹脂によって形成され、第１の筐体２０の上面２０ａの一部を形成する。平坦部７３は、キーボード２１の後方に設けられている。通信領域２９は、平坦部７３に設けられている。
【００７２】
図１５に示すように、スライドヒンジ構造１３は、アーム７５と、スライド部７６と、レール７７とを有している。アーム７５の一方の端部は、メインユニット１１の後端部に回動可能に連結されている。スライド部７６は、アーム７５の他方の端部に回動可能に連結されている。
【００７３】
レール７７は、ディスプレイユニット１２の第２の筐体３０の背面３０ｂに固定されている。レール７７は、ディスプレイユニット１２の長手方向に向かって延びている。言い換えると、レール７７は、左右方向に向かって延びている。
【００７４】
レール７７に、スライド部７６が移動可能に取り付けられている。詳しく述べると、スライド部７６に設けられた溝に、レール７７が摺動可能に嵌合している。このため、ディスプレイユニット１２は、メインユニット１１に対して、レール７７に沿う方向にスライド移動できる。
【００７５】
図１４および図１５に示すように、第１の位置にあるディスプレイユニット１２は、キーボード２１および平坦部７３を覆う。すなわち、通信領域２９は、ディスプレイユニット１２によって覆われる。
【００７６】
ディスプレイユニット１２が第１の位置にあると、制御部６１は、ＮＦＣモジュール２８およびキーボード２１を使用不可にする。制御部６１は、例えば種々のセンサによってディスプレイユニット１２が第１の位置にあることを検知する。
【００７７】
第１の位置にあるディスプレイユニット１２は、例えばユーザによって押されることで、レール７７に沿って第２の位置にスライド移動する。
【００７８】
図１６に示すように、第２の位置にあるディスプレイユニット１２は、キーボード２１の一部を覆っている。一方、ディスプレイユニット１２は、平坦部７３の通信領域２９を露出させる。
【００７９】
ディスプレイユニット１２が第２の位置にあると、制御部６１は、ＮＦＣモジュール２８を使用できるようにする。一方、制御部６１は、キーボード２１を使用不可にする。
【００８０】
ユーザがディスプレイユニット１２およびアーム７５を回動させることで、ディスプレイユニット１２は第３の位置に移動する。なお、ディスプレイユニット１２は、第１の位置から第３の位置に移動しても良いし、第２の位置から第３の位置に移動しても良い。
【００８１】
図１７に示すように、第３の位置にあるディスプレイユニット１２は、キーボード２１および平坦部７３の通信領域２９を露出させる。ディスプレイユニット１２が第３の位置にあると、制御部６１は、ＮＦＣモジュール２８およびキーボード２１を使用できるようにする。
【００８２】
以上のように、ディスプレイユニット１２は、第１ないし第３の位置の間で移動可能にメインユニット１１に連結されている。したがって、第３の実施形態のポータブルコンピュータ１０によれば、第１の実施形態と同様に、ＮＦＣモジュール２８の使用が容易となる。
【００８３】
次に、図１９を参照して、第４の実施の形態について説明する。図１９は、第４の実施の形態における、ディスプレイユニット１２が第２の位置にあるポータブルコンピュータ１０を示す斜視図である。
【００８４】
図１９に示すように、第４の実施の形態におけるＮＦＣモジュール２８は、ディスプレイユニット１２に設けられている。通信領域２９は、ディスプレイユニット１２の第２の筐体３０の背面３０ｂに設けられている。第２の筐体３０は、例えば樹脂のような非導電体によって形成されている。
【００８５】
通信領域２９は、ディスプレイユニット１２が第２ないし第４の位置にあるとき露出される。一方、通信領域２９は、ディスプレイユニット１２が第１の位置にあるとき、メインユニット１１によって覆われる。
【００８６】
制御部６１は、ディスプレイユニット１２が第２および第３の位置にあるとき、ＮＦＣモジュール２８を使用できるようにする。一方、制御部６１は、ディスプレイユニット１２が第１および第４の位置にあるとき、ＮＦＣモジュール２８を使用不可にする。
【００８７】
第４の実施形態のディスプレイユニット１２は、第１の実施形態と同様に、第１ないし第４の位置の間で移動可能にメインユニット１１に連結されている。このような第４の実施形態のポータブルコンピュータ１０によれば、第１の実施形態と同様に、ＮＦＣモジュール２８の使用が容易となる。
【００８８】
以上述べた少なくとも一つの電子機器によれば、第２の部分が、画像を表示する表示部が設けられ、前記入力部および前記通信領域を覆う第１の位置と、前記入力部の少なくとも一部を覆うとともに前記通信領域を露出させる第２の位置と、前記入力部および前記通信領域を露出させる第３の位置との間で移動可能である。これにより、無線通信モジュールの使用が容易になる。
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の出願当初の特許請求の範囲の内容を付記する。
［１］入力部と通信領域とが設けられた第１の面を有した第１の部分と、
前記第１の部分に設けられ、前記通信領域の外部に向けて無線通信が可能な無線通信モジュールと、
画像を表示する表示部が設けられ、前記入力部および前記通信領域を覆う第１の位置と、前記入力部の少なくとも一部を覆うとともに前記通信領域を露出させる第２の位置と、前記入力部および前記通信領域を露出させる第３の位置と、の間で移動可能に前記第１の部分に連結された第２の部分と、
を具備した電子機器。
［２］前記表示部はタッチパネルを有し、
前記第２の部分は、前記表示部が設けられた第２の面と、前記第２の面の反対側に位置するとともに前記第１の位置において前記第１の部分の前記第１の面と対向する第３の面とを有した［１］に記載の電子機器。
［３］前記第１の面は、前記通信領域が設けられたパームレストを有し、
前記入力部がキーボードを有した［２］に記載の電子機器。
［４］前記第２の部分は、前記第１の位置および前記第２の位置の間と、前記第２の位置および前記第３の位置の間とをスライドし、端部が前記第３の位置において回動可能に前記第１の部分に連結された［３］に記載の電子機器。
［５］前記第２の部分が前記第１の位置に位置するときに前記無線通信モジュールを使用不可にし、前記第２の部分が前記第２の位置または前記第３の位置に位置するときに前記無線通信モジュールを使用可能にする制御部と、
前記第１の部分の前記第１の面に設けられたタッチパッドをさらに具備し、
前記第２の部分は、前記第１の位置において前記タッチパッドを覆い、前記第２の位置および前記第３の位置において前記タッチパッドを露出させ、
前記制御部は、前記第２の部分が前記第１の位置または前記第２の位置に位置するときに前記タッチパッドを使用不可にし、前記第２の部分が前記第３の位置に位置するときに前記タッチパッドを使用可能にする［４］に記載の電子機器。
［６］前記パームレストの前記通信領域が設けられた部分が、非導電体によって形成された［５］に記載の電子機器。
［７］前記第２の部分を前記第２の位置に係止するストッパをさらに具備した［６］に記載の電子機器。
［８］前記第２の部分の前記第３の面に設けられたカメラをさらに具備し、
前記第１の部分は、前記第１の位置において前記カメラを覆い、前記第２の位置および前記第３の位置において前記カメラを露出させる［７］に記載の電子機器
［９］入力部と通信領域とが設けられた第１の面を有した第１の部分と、
前記第１の部分に設けられ、前記通信領域の外部に向けて無線通信が可能な無線通信モジュールと、
画像を表示する表示部が設けられ、前記入力部および前記通信領域を覆う第１の位置と、前記入力部の少なくとも一部を覆うとともに前記通信領域を露出させる第２の位置と、前記入力部および前記通信領域を露出させる第３の位置と、の間で移動可能に前記第１の部分に連結された第２の部分と、
を備えた電子機器の制御方法であって、
前記第２の部分が前記第１の位置に位置するときに前記無線通信モジュールを使用不可にし、
前記第２の部分が前記第２の位置または前記第３の位置に位置するときに前記無線通信モジュールを使用可能にする方法。
［１０］入力部が設けられた第１の面を有した第１の部分と、
画像を表示する表示部が設けられた第２の面と、前記第２の面の反対側に位置するとともに通信領域が設けられた第３の面とを有し、前記入力部を覆うとともに前記通信領域が前記第１の部分によって覆われた第１の位置と、前記入力部の少なくとも一部を覆うとともに前記通信領域を露出させる第２の位置と、前記入力部および前記通信領域を露出させる第３の位置と、の間で移動可能に前記第１の部分に連結された第２の部分と、
前記第２の部分に設けられ、前記通信領域の外部に向けて無線通信が可能な無線通信モジュールと、
を具備した電子機器。
【符号の説明】
【００９０】
１０…ポータブルコンピュータ、１１…メインユニット、１２…ディスプレイユニット、２０ａ…上面、２１…キーボード、２２…タッチパッド、２７…パームレスト、２８…ＮＦＣモジュール、２９…通信領域、３１…ディスプレイモジュール、３３…第２のカメラ、５４…第２のストッパ、６１…制御部。
【要約】
【課題】  無線通信モジュールの使用が容易な電子機器を提供する。
【解決手段】  一つの実施の形態に係る電子機器は、第１の部分と、無線通信モジュールと、第２の部分とを備える。前記第１の部分は、入力部と通信領域とが設けられた第１の面を有する。前記無線通信モジュールは、前記第１の部分に設けられ、前記通信領域の外部に向けて無線通信が可能である。前記第２の部分は、画像を表示する表示部が設けられ、第１の位置と、第２の位置と、第３の位置との間で移動可能に前記第１の部分に連結される。前記第２の部分は、前記第１の位置で前記入力部および前記通信領域を覆い、前記第２の位置で前記入力部の少なくとも一部を覆うとともに前記通信領域を露出させ、前記第３の位置で前記入力部および前記通信領域を露出させる。
【選択図】    図３【図１】
0005355751.tif 000002
【図２】
0005355751.tif 000003
【図３】
0005355751.tif 000004
【図４】
0005355751.tif 000005
【図５】
0005355751.tif 000006
【図６】
0005355751.tif 000007
【図７】
0005355751.tif 000008
【図８】
0005355751.tif 000009
【図９】
0005355751.tif 000010
【図１０】
0005355751.tif 000011
【図１１】
0005355751.tif 000012
【図１２】
0005355751.tif 000013
【図１３】
0005355751.tif 000014
【図１４】
0005355751.tif 000015
【図１５】
0005355751.tif 000016
【図１６】
0005355751.tif 000017
【図１７】
0005355751.tif 000018
【図１８】
0005355751.tif 000019
【図１９】
0005355751.tif 000020